(57)【要約】【課題】サッシ枠の乾式納まり構造においてサッシ枠の剛性を向上し、それにより例えば火災時のサッシ枠の変形を軽減または防止する。【解決手段】サッシ枠の乾式納まり構造において、躯体固定部１１は、サッシ枠の例えば右縦枠２ｃを躯体４に固定するために、サッシ枠の長手方向に間隔を有してサッシ枠の躯体４側に装着されている。サッシ枠補強材１２は、サッシ枠の躯体４側に装着され、躯体固定部１１それぞれのサッシ枠への装着位置を含む長さ範囲にわたりサッシ枠の長手方向に沿って延在する。サッシ枠はその長手方向に垂直な平面において開断面を有しており、サッシ枠の躯体４側にサッシ枠とサッシ枠補強材１２とで閉断面が形成されていてもよい。【選択図】図５
2015094083.tif 000002
【特許請求の範囲】
【請求項１】
サッシ枠と、
前記サッシ枠を躯体に固定するために、前記サッシ枠の長手方向に間隔を有して前記サッシ枠の躯体側に装着されている少なくとも２つの躯体固定部と、
前記サッシ枠の躯体側に装着され、前記少なくとも２つの躯体固定部それぞれの前記サッシ枠への装着位置を含む長さ範囲にわたり前記サッシ枠の長手方向に沿って延在するサッシ枠補強材と、を備えることを特徴とするサッシ枠の乾式納まり構造。
【請求項２】
前記サッシ枠はその長手方向に垂直な平面において開断面を有しており、前記サッシ枠の躯体側に前記サッシ枠と前記サッシ枠補強材とで閉断面を形成したことを特徴とする請求項１に記載のサッシ枠の乾式納まり構造。
【請求項３】
前記躯体固定部は前記サッシ枠補強材とは別体の部材であり、前記躯体固定部と前記サッシ枠補強材とに前記サッシ枠のツメ部が挟持されるように前記躯体固定部が前記サッシ枠補強材に取り付けられていることを特徴とする請求項１または２に記載のサッシ枠の乾式納まり構造。
【請求項４】
前記躯体固定部は前記サッシ枠補強材と一体の部材であることを特徴とする請求項１または２に記載のサッシ枠の乾式納まり構造。
【請求項５】
前記サッシ枠補強材は前記サッシ枠の長手方向において前記サッシ枠の所定部分に装着されており、
前記サッシ枠を躯体に固定するために、前記長手方向に前記所定部分の外側にて前記サッシ枠に装着されている躯体固定具をさらに備えることを特徴とする請求項１から４のいずれかに記載のサッシ枠の乾式納まり構造。
【請求項６】
前記サッシ枠補強材は、高温環境において前記サッシ枠より高い強度を有する材料で形成されていることを特徴とする請求項１から５のいずれかに記載のサッシ枠の乾式納まり構造。
【請求項７】
サッシ枠と、
前記サッシ枠を躯体に固定するために前記サッシ枠の躯体側に装着されている躯体固定部と、
前記サッシ枠の躯体側に装着され、前記躯体固定部の前記サッシ枠への装着位置を含む長さ範囲にわたり前記サッシ枠の長手方向に沿って細長く延在するサッシ枠補強材と、を備えることを特徴とするサッシ枠の乾式納まり構造。
【発明の詳細な説明】
【技術分野】
【０００１】
本発明は、サッシ枠の乾式納まり構造に関する。
【背景技術】
【０００２】
従来から一般に、建物の壁開口部にサッシ枠を取り付けるために、サッシ枠にいくつかのアンカー部材を予め固定しておき、そのアンカー部材を壁内の鉄筋に溶接することが行われている。アンカー部材はサッシ枠の幅方向に架け渡される金具であり、その寸法はサッシ枠の幅方向に長く、サッシ枠の長手方向にはそれよりも短い。あるアンカー部材とその隣のアンカー部材とはサッシ枠の長手方向に十分に離れている。このようなサッシ枠の取付構造においては溶接後に溶接部位のまわりにモルタル等の充填材を充填する湿式の工法も一般に行われている。
【先行技術文献】
【特許文献】
【０００３】
【特許文献１】実開昭６３−１２５８４号公報
【発明の概要】
【発明が解決しようとする課題】
【０００４】
しかし、サッシ枠の躯体への納め方はそのような湿式には限られず、サッシ枠まわりに充填材を充填しない乾式の方法もある。その場合、充填材に頼ることなくサッシ枠構造それ自体によって所望のサッシ性能を実現することが望まれる。
【０００５】
例えば防火性能に関して言えば、火災による高温にさらされたとき生じうるサッシ枠の変形を十分に抑制することが望まれる。ところが、乾式の納め方において従来型のアンカー部材を用いた場合には、あるアンカー部材とその隣のアンカー部材との間のサッシ枠部分は躯体に直に支持されてはいないので、高温による熱膨張や強度低下によってこの部分に変形が生じうる。これら２つのアンカー部材は離れており、従って、変形しうるサッシ枠部分が比較的長いので、その変形量が大きくなりやすい。
【０００６】
本発明はこのような課題に鑑みてなされたものであり、そのある態様の例示的な目的のひとつは、サッシ枠の乾式納まり構造においてサッシ枠の剛性を向上し、それにより例えば火災時のサッシ枠の変形を軽減または防止することにある。
【課題を解決するための手段】
【０００７】
上記課題を解決するために、本発明のある態様のサッシ枠の乾式納まり構造は、サッシ枠と、サッシ枠を躯体に固定するために、サッシ枠の長手方向に間隔を有してサッシ枠の躯体側に装着されている少なくとも２つの躯体固定部と、サッシ枠の躯体側に装着され、少なくとも２つの躯体固定部それぞれのサッシ枠への装着位置を含む長さ範囲にわたりサッシ枠の長手方向に沿って延在するサッシ枠補強材と、を備える。
【０００８】
この態様によると、サッシ枠補強材がサッシ枠の長手方向に沿って比較的長い距離にわたって設けられている。具体的には、サッシ枠を躯体に固定するための２つ又はそれより多数の躯体固定部がサッシ枠の躯体側に装着されており、サッシ枠補強材もまたサッシ枠の躯体側に、これら躯体固定部のサッシ枠への長手方向装着範囲にわたって装着されている。このようにして、モルタル等の充填材を用いない乾式のサッシ枠構造において、隣り合う躯体固定部間のサッシ枠部分がサッシ枠補強材で補強され、サッシ枠の剛性が向上される。したがって、火災時にサッシ枠の補強部分に生じうる変形は軽減され又は防止され、防火性能が向上されたサッシ枠を提供することができる。
【０００９】
サッシ枠の乾式納まり構造においては、サッシ枠はその長手方向に垂直な平面において開断面を有しており、サッシ枠の躯体側にサッシ枠とサッシ枠補強材とで閉断面を形成していてもよい。
このように、開断面を有するサッシ枠にその補強材を組み合わせて閉断面を形成することは、サッシ枠の剛性を向上することに大きく役立つので、補強のために効果的である。
【００１０】
躯体固定部はサッシ枠補強材とは別体の部材であり、躯体固定部とサッシ枠補強材とにサッシ枠のツメ部が挟持されるように躯体固定部がサッシ枠補強材に取り付けられていてもよい。
躯体固定部がサッシ枠補強材と別体の部材であることにより、躯体固定部に対するサッシ枠補強材の位置を調整することができるので、躯体固定部に対して補強材を所望の場所に取り付けることが可能となる。また、このようにサッシ枠の一部を挟み込む取付方法は、サッシ枠とその補強材との確実な固定を可能にする。この場合、例えば、サッシ枠のツメ部をサッシ枠補強材と躯体固定部とで挟んだ状態で躯体固定部とサッシ補強材とをねじ等で締め付けて固定するようにすれば、取付作業が比較的容易である。
【００１１】
躯体固定部はサッシ枠補強材と一体の部材であってもよい。
この場合、部材が一体化されているので部品点数が少なくなる。また、取付作業においてはその一体化された部材をサッシ枠に取り付けるだけでよいので、躯体固定部とサッシ枠補強材とを個別にサッシ枠に取り付けるのに比べて、いくらか作業性に優れる可能性がある。
【００１２】
サッシ枠補強材はサッシ枠の長手方向においてサッシ枠の所定部分に装着されていてもよい。サッシ枠の乾式納まり構造は、サッシ枠を躯体に固定するために、長手方向に所定部分の外側にてサッシ枠に装着されている躯体固定具をさらに備えてもよい。
この場合、サッシ枠補強材は、サッシ枠の強度を高めることが望まれる部位、例えばサッシ枠の長手方向中央部に装着されていてもよい。サッシ枠補強材が設けられていないサッシ枠部分には任意の躯体固定具、例えば、いわゆるピースアンカー又はその他の公知のアンカー部材が併用されてもよい。このようにして比較的短い補強材を用いることにより、通しの補強材を用いる場合に比べて、補強材を軽くするとともに材料費を低減することができる。補強材が軽ければ、取付後のサッシ枠構造の重量も軽くなる。
【００１３】
サッシ枠補強材は、高温環境においてサッシ枠より高い強度を有する材料で形成されていてもよい。
このようにすれば、火災時に生じうる変形を軽減または防止するうえで一層効果的である。
【００１４】
また、本発明のある他の態様のサッシ枠の乾式納まり構造は、サッシ枠と、サッシ枠を躯体に固定するためにサッシ枠の躯体側に装着されている躯体固定部と、サッシ枠の躯体側に装着され、躯体固定部のサッシ枠への装着位置を含む長さ範囲にわたりサッシ枠の長手方向に沿って細長く延在するサッシ枠補強材と、を備える。
【００１５】
この態様によると、サッシ枠の長手方向に沿って細長いサッシ枠補強材が設けられている。サッシ枠を躯体に固定するための躯体固定部がサッシ枠の躯体側に装着されており、サッシ枠補強材もまたサッシ枠の躯体側において躯体固定部の装着部位に装着されている。このようにして、モルタル等の充填材を用いない乾式のサッシ枠構造において、躯体固定部及びその付近のサッシ枠部分がサッシ枠補強材で補強され、サッシ枠の剛性が向上される。火災時にサッシ枠の補強部分に生じうる変形が軽減または防止され、防火性能が向上されたサッシ枠を提供することができる。
【発明の効果】
【００１６】
本発明によれば、サッシ枠の乾式納まり構造においてサッシ枠の剛性を向上し、それにより例えば火災時のサッシ枠の変形を軽減または防止することができる。
【図面の簡単な説明】
【００１７】
【図１】本発明の第１実施形態に係るサッシ枠の乾式納まり構造を適用した窓を例示する概略正面図である。
【図２】本発明の第１実施形態に係るサッシ枠の概略断面図である。
【図３】図２におけるＡ−Ａ線矢視図である。
【図４】本発明の第１実施形態に係るサッシ枠の概略断面図である。
【図５】本発明の第２実施形態に係るサッシ枠の概略断面図である。
【図６】図５におけるＢ−Ｂ線矢視図である。
【図７】本発明の第２実施形態に係るサッシ枠の概略断面図である。
【図８】本発明の第３実施形態に係るサッシ枠の概略断面図である。
【図９】図８におけるＣ−Ｃ線断面図である。
【図１０】本発明の第４実施形態に係るサッシ枠の乾式納まり構造を適用した窓を例示する概略正面図である。
【発明を実施するための形態】
【００１８】
以下、図面を参照しながら、本発明を実施するための形態について詳細に説明する。なお、説明において同一の要素には同一の符号を付し、重複する説明を適宜省略する。また、以下に述べる構成は例示であり、本発明の範囲を何ら限定するものではない。
【００１９】
図１は、本発明の第１実施形態に係るサッシ枠の乾式納まり構造を適用した窓１を例示する概略正面図である。窓１は、サッシ枠２及び障子３を備える。サッシ枠２は、障子３を固定的に、または開閉のために移動可能に支持する枠体であり、上枠２ａ、下枠２ｂ、右縦枠２ｃ、及び左縦枠２ｄを備える。
【００２０】
図１には、サッシ枠２を補強するための補強要素、例えば補強金具１０の配置が破線で概略的に示されている。補強金具１０は、上枠２ａ、下枠２ｂ、右縦枠２ｃ、及び左縦枠２ｄのそれぞれに長手方向に通しで設けられている。補強金具１０は、サッシ枠２の角部を除き、サッシ枠２の長手方向に沿ってサッシ枠長さのほぼ全体にわたって設けられている。補強金具１０は、サッシ枠２とは別体の部材である。
【００２１】
ここで、長手方向とはサッシ枠２の延在する方向であり、上枠２ａ及び下枠２ｂの長手方向は図１おいて左右方向であり、右縦枠２ｃ及び左縦枠２ｄの長手方向は図１おいて上下方向である。また、以下では説明の便宜上、サッシ枠２の幅方向という場合がある。幅方向は図１おいて紙面に垂直な方向である。
【００２２】
詳しくは後述するように、サッシ枠２は、補強金具１０を介して躯体４（図２参照）に固定される。したがって、補強金具１０は、サッシ枠２を補強する役割だけでなく、サッシ枠２を躯体４に固定する役割も有する。
【００２３】
図２は、本発明の第１実施形態に係るサッシ枠２の概略断面図である。具体的には、図２には右縦枠２ｃの横断面図を示す。図２において右縦枠２ｃの長手方向は紙面に垂直な方向であり、右縦枠２ｃの幅方向は紙面の上下方向である。図３は、図２におけるＡ−Ａ線矢視図である。図３には右縦枠２ｃ及び補強金具１０が示されている。図３において右縦枠２ｃの長手方向は左右方向であり、右縦枠２ｃの幅方向は上下方向である。また、図４は、本発明の第１実施形態に係るサッシ枠２の概略断面図である。図４には上枠２ａの縦断面図を示す。
【００２４】
なお、図２及び以降の各図面においては本実施形態に関連する主な部分を示し、その他の部分例えばサッシ枠２及び躯体４の周辺構造については、本実施形態に関連する主な部分の理解を容易にするために、破線でその概略形状を表すか、図示を適宜省略する。例えば、図３においては鉄筋５は省略されている。
【００２５】
本実施形態に係る補強金具１０においては、サッシ枠２（図２及び図３については右縦枠２ｃであり、図４については上枠２ａである。以下同様。）を躯体４に固定するための躯体固定部１１がサッシ枠補強材１２と一体の部材として構成されている。サッシ枠補強材１２は、通しのプレート材であり、サッシ枠２の長手方向に細長く延在する。補強金具１０の大半の部分がサッシ枠補強材１２にあたる。よって、本書において補強金具１０との言及は文脈によりサッシ枠補強材１２を意味するものと読み替えてもよく、またその逆の読み替えも可能である。
【００２６】
サッシ枠補強材１２は、高温環境においてサッシ枠２より高い強度（例えば、引張強さ、または耐力）を有する材料で形成されている。高温環境とは例えば、火災時に想定される温度領域を指し、例えば５００度を超える高温をいう。本実施形態では、サッシ枠２は例えばアルミ材で形成され、サッシ枠補強材１２はスチール材で形成されている。
【００２７】
補強金具１０は、サッシ枠２に係合する係合部１３を備える。いくつかの係合部１３がそれぞれ長手方向において異なる位置に設けられている。各係合部１３は係合片１４を有する。係合片１４は、サッシ枠補強材１２において、後述する躯体固定部１１の折返片２４とは反対側にサッシ枠補強材１２の一部を折り曲げて形成されている。係合片１４は幅方向の両側にそれぞれ設けられている。係合部１３は、躯体固定部１１に又はそれに隣接してサッシ枠補強材１２に設けられていてもよいし、躯体固定部１１から長手方向に離れてサッシ枠補強材１２に設けられていてもよい。
【００２８】
サッシ枠２は、窓１（図１参照）が取り付けられる開口側に面する枠本体１６と、枠本体１６の幅方向両側にて躯体４側へと枠本体１６から立設された枠側壁１８と、を備える。枠本体１６の開口側には、障子３（図１参照）を支持し又は案内するレール等が形成されている。また、サッシ枠２の躯体４側には２つのツメ部２０が設けられている。各ツメ部２０は、２つの枠側壁１８それぞれの躯体４側の端部から互いに向かい合うように幅方向内向きに屈曲して形成されている。
【００２９】
補強金具１０をサッシ枠２に取り付ける際には、例えば、サッシ枠２の一端からツメ部２０に沿って補強金具１０が挿入され、サッシ枠２のツメ部２０に補強金具１０の係合部１３が係合する。すなわち、サッシ枠補強材１２と係合片１４とにツメ部２０が挟まれる。このようにして、サッシ枠補強材１２はサッシ枠２の躯体４側に蓋をするように長手方向の規定位置に配置される。
【００３０】
サッシ枠補強材１２は、固定ネジ２２のサッシ枠２への突き当てによってサッシ枠２に固定される。固定ネジ２２のためのネジ穴が躯体固定部１１及び／またはサッシ枠補強材１２に形成されている。２つのネジ穴が幅方向に並んで形成されており、サッシ枠補強材１２は幅方向に２ヶ所で固定ネジ２２によりサッシ枠２に固定される。サッシ枠補強材１２が長手方向の規定位置に配置された状態で固定ネジ２２を締め付けると、このネジ穴を通じて固定ネジ２２の末端がサッシ枠２の枠本体１６に突き当てられ、それにより係合片１４がツメ部２０に押し当てられる。このようにして、サッシ枠補強材１２が長手方向の規定位置にてサッシ枠２に固定される。
【００３１】
なお、ある実施形態においては、補強金具１０は係合部１３を備えていなくてもよい。この場合、例えば、サッシ枠補強材１２がツメ部２０と枠本体１６との間に挿入されてもよい。固定ネジ２２のサッシ枠２への突き当てによってサッシ枠補強材１２の幅方向端部がツメ部２０に押し当てられ、サッシ枠補強材１２がサッシ枠２に固定されてもよい。
【００３２】
このようにして、サッシ枠補強材１２はサッシ枠２の躯体４側に装着されている。躯体固定部１１はサッシ枠補強材１２と一体であるから、サッシ枠補強材１２と同様に躯体固定部１１もサッシ枠２の躯体４側に装着されていると言える。
【００３３】
サッシ枠２は長手方向に垂直な平面に開断面を有する。図示されるように、サッシ枠２の躯体４側の開断面は枠本体１６と枠側壁１８とからなる。サッシ枠補強材１２は、サッシ枠２の２つの枠側壁１８の間のスペースを横断する幅を有しており、２つのツメ部２０を接続する。このようにして、サッシ枠補強材１２のサッシ枠２への装着によりサッシ枠２の開断面が閉じられて、図示されるように、サッシ枠２の躯体４側にサッシ枠２とサッシ枠補強材１２とからなる概ね矩形の閉断面が形成される。
【００３４】
サッシ枠２は躯体４に溶接により固定される。そのため、躯体固定部１１は、躯体４からサッシ枠２に向けて突出する鉄筋５に溶接される折返片２４を有する。図２ないし図４には、補強金具１０の一端に形成された折返片２４が示されている。本実施形態においてはサッシ枠２は乾式で躯体４に取り付けられるので、鉄筋５のまわりにモルタル等の充填材は充填されていない。
【００３５】
また、補強金具１０は、例えばその他端にも躯体固定部１１及び折返片２４を有する（図示せず）。補強金具１０はその中央部にも躯体固定部１１及び折返片２４を有してもよい。これら複数の躯体固定部１１は、２つの隣り合う躯体固定部１１がサッシ枠２の長手方向に間隔を有するようにサッシ枠２の長手方向に並んで配置されている。隣り合う躯体固定部１１の間隔は例えば一定であるが、長手方向位置によって異なっていてもよい。
【００３６】
このようにして、躯体固定部１１と一体に形成されたサッシ枠補強材１２は、サッシ枠２の比較的長い範囲にわたりサッシ枠２の長手方向に沿って延在する。サッシ枠２が延在する長さ範囲には、複数の躯体固定部１１それぞれのサッシ枠２への装着位置（つまり、サッシ枠２における躯体固定部１１の設置場所）が含まれる。
【００３７】
本実施形態によると、サッシ枠補強材１２がサッシ枠２の長手方向に沿ってサッシ枠２のほぼ全長にわたって設けられており、サッシ枠２を躯体４に溶接するための複数の折返片２４がサッシ枠補強材１２に形成されている。このようにして、モルタル等の充填材を用いない乾式のサッシ枠構造において、隣り合う溶接箇所間のサッシ枠部分がサッシ枠補強材１２で補強され、サッシ枠２の剛性が向上される。とりわけ、サッシ枠補強材１２がサッシ枠２とともに閉断面を形成することにより、サッシ枠２の剛性が顕著に向上される。また、サッシ枠補強材１２は、サッシ枠２に比べて高温に強い材料で形成されている。したがって、サッシ枠２に火災時に生じうる変形が軽減または防止され、防火性能が向上されたサッシ枠２を提供することができる。
【００３８】
図５は、本発明の第２実施形態に係るサッシ枠２の概略断面図である。具体的には、図５には右縦枠２ｃの横断面図を示す。図６は、図５におけるＢ−Ｂ線矢視図である。また、図７は、本発明の第２実施形態に係るサッシ枠２の概略断面図である。図７には上枠２ａの縦断面図を示す。
【００３９】
第２実施形態に係る補強金具１０においては、躯体固定部１１とサッシ枠補強材１２とが別体の部材である点で、それらが一体の部材である第１実施形態と異なる。その余については、第２実施形態は第１実施形態と同様である。以下の説明では同様の箇所については冗長を避けるため説明を適宜省略する。
【００４０】
複数の躯体固定部１１がそれぞれ長手方向において異なる位置に配置されている。図６には、サッシ枠補強材１２の一端に配置された躯体固定部１１（図中右側）と、サッシ枠補強材１２の中央部に配置された躯体固定部１１（図中左側）とが示されている。躯体固定部１１はサッシ枠２の幅方向に架け渡されており、その寸法はサッシ枠２の幅方向に長く、サッシ枠２の長手方向にはそれよりも短い。鉄筋５に溶接される折返片２４が躯体固定部１１の各々に設けられている。躯体固定部１１は典型的なアンカー部材と同様の溶接用のパーツである。
【００４１】
各躯体固定部１１は、その躯体固定部１１とサッシ枠補強材１２とにサッシ枠２のツメ部２０が挟持されるように、固定ネジ２２を用いてサッシ枠補強材１２に取り付けられている。躯体固定部１１及びサッシ枠補強材１２が長手方向の規定位置に配置された状態で固定ネジ２２を締め付けると、躯体固定部１１及びサッシ枠補強材１２がそれぞれツメ部２０に押し当てられて、ツメ部２０が躯体固定部１１とサッシ枠補強材１２とに挟み込まれる。このようにして、躯体固定部１１及びサッシ枠補強材１２が長手方向の規定位置にてサッシ枠２に固定される。この場合、第１実施形態とは異なり固定ネジ２２が枠本体１６に突き当てられる必要がないので、第２実施形態における固定ネジ２２の末端は枠本体１６に接触していなくてもよい。
【００４２】
図８は、本発明の第３実施形態に係るサッシ枠２の概略断面図である。具体的には、図８には上枠２ａの縦断面図を示す。図９は、図８におけるＣ−Ｃ線断面図である。第３実施形態は第２実施形態と基本的に共通である。ただし、第３実施形態においては、枠側壁１８が躯体側に延出部２６を有する。そこで、第３実施形態においては、延出部２６の下方での固定ネジ２２（図中左側）の取付作業が容易となるように固定ネジ２２の取付方向が調整されている。そのために、躯体固定部１１及びサッシ枠補強材１２はそれぞれ、固定ネジ２２のためのネジ穴の部位において折曲部２８を有する。なお、図９に示されるように、折返片２４は躯体固定部１１の中心部に形成されていてもよい。
【００４３】
図１０は、本発明の第４実施形態に係るサッシ枠の乾式納まり構造を適用した窓１を例示する概略正面図である。第４実施形態においては、補強金具１０がサッシ枠２の長手方向に部分的に設けられている点で、補強金具１０がサッシ枠長さのほぼ全体にわたる第１実施形態と異なる。その余については、第４実施形態は第１実施形態と概ね同様である。また、第２実施形態または第３実施形態に係る補強金具１０を第４実施形態に適用することも可能である。以下の説明では同様の箇所については冗長を避けるため説明を適宜省略する。
【００４４】
補強金具１０はサッシ枠２の長手方向においてサッシ枠２の所定部分に装着されている。補強金具１０は、サッシ枠２の強度を高めることが望まれる部位、例えばサッシ枠２の角部から長手方向に離れた部位、例えば中央部に装着されていてもよい。補強金具１０の長さは、サッシ枠２の全長の少なくとも半分、または少なくとも１／３、または少なくとも１／４であってもよい。
【００４５】
また、図１０に示されるように、補強金具１０が設けられていないサッシ枠２の部分には１つ又は複数の躯体固定具３０が設けられている。躯体固定具３０は、サッシ枠２を躯体に固定するために、長手方向において補強金具１０の外側でサッシ枠２に装着されている。躯体固定具３０は、補強金具１０との間に長手方向に間隔を有して配置され、また、隣りの躯体固定具３０とも長手方向に間隔を有して配置されている。躯体固定具３０は、例えば、いわゆるピースアンカー又はその他の公知のアンカー部材などの任意の躯体固定具であってもよい。このようにして躯体固定具３０を補強金具１０と併用することにより補強金具１０を短くすることができるので、上述のように通しの補強材を用いる場合に比べて軽量化及び材料費低減が可能となる。
【００４６】
以上、本発明を実施例にもとづいて説明した。本発明は上記実施形態に限定されず、種々の設計変更が可能であり、様々な変形例が可能であること、またそうした変形例も本発明の範囲にあることは、当業者に理解されるところである。
【００４７】
上述の実施形態においては、補強金具１０に複数の躯体固定部１１が設けられている。しかし、補強金具１０に設けられている躯体固定部１１は１つであってもよい。この場合においても、細長いサッシ枠補強材１２を躯体固定部の装着部位に設けることにより、躯体固定部及びその付近のサッシ枠部分を補強してサッシ枠２の剛性を向上することができる。
【００４８】
上述の実施形態においては、サッシ枠２は躯体４に溶接により固定されている。しかし、固定の方法は溶接に限られない。ある実施形態においては、ネジ止めまたは接着など任意の無溶接工法によってサッシ枠２が躯体４に固定されてもよい。この場合、躯体固定部１１及び躯体固定具３０は、その工法に適合するように構成される。
【００４９】
上述の実施形態においては、補強金具１０は、サッシ枠２と異なる材料、例えば、高温環境においてサッシ枠２より高い強度を有する材料、で形成されている。しかし、補強金具１０はサッシ枠２と同じ材料、例えばアルミ材で形成されていてもよい。このようにしても、サッシ枠２の剛性を向上することができる。とりわけ上述のように閉断面が補強金具１０とサッシ枠２とで形成される場合には効果がある。
【００５０】
上述の実施形態においては、補強金具１０がサッシ枠２の各構成部分、すなわち上枠２ａ、下枠２ｂ、右縦枠２ｃ、及び左縦枠２ｄのそれぞれに設けられている。しかし、補強金具１０がこのようにサッシ枠２の上下左右のすべてに設けられていることは必須ではなく、補強金具１０は、上枠２ａ、下枠２ｂ、右縦枠２ｃ、及び左縦枠２ｄの少なくとも１つに設けられていてもよい。
【符号の説明】
【００５１】
２  サッシ枠、  ２ａ  上枠、  ２ｃ  右縦枠、  ４  躯体、  ５  鉄筋、  １０  補強金具、  １１  躯体固定部、  １２  サッシ枠補強材、  ２０  ツメ部、  ２２  固定ネジ、  ２４  折返片、  ３０  躯体固定具。
【図１】
2015094083.tif 000003
【図２】
2015094083.tif 000004
【図３】
2015094083.tif 000005
【図４】
2015094083.tif 000006
【図５】
2015094083.tif 000007
【図６】
2015094083.tif 000008
【図７】
2015094083.tif 000009
【図８】
2015094083.tif 000010
【図９】
2015094083.tif 000011
【図１０】
2015094083.tif 000012